(57)【特許請求の範囲】
【請求項１】
車両に搭載された電子機器に接続された第１ワイヤハーネスが接続される複数の第１端子金具と、前記電子機器を制御する電子制御装置に接続された第２ワイヤハーネスが接続される第２端子金具と、前記第１端子金具を介して前記電子機器から受信した信号に自己の識別情報を付加して前記第２端子金具を介して前記電子制御装置に送信する、又は、前記第２端子金具を介して前記電子制御装置から受信した信号に自己の識別情報が付加されていれば当該受信した信号に応じて前記第１端子金具を介して前記電子機器に制御する通信動作を行う通信制御手段と、を備えた中継コネクタにおいて、
前記第１端子金具とは別に設けられ、前記識別情報を設定する旨の設定信号が入力される設定用端子金具と、
前記設定用端子金具に前記設定信号が入力されたときに、前記電子制御装置に制御される電子機器に接続された第１ワイヤハーネスが接続される前記複数の第１端子金具から入力された信号に応じた前記識別情報を設定する識別情報設定手段と、を備え、
前記通信制御手段は、前記設定用端子金具に前記設定信号が入力されたときに、前記通信動作を停止する
ことを特徴とする中継コネクタ。
【請求項２】
車両に搭載された複数の電子機器と前記複数の電子機器を制御する電子制御装置とを通信可能に接続するためのワイヤハーネス構造体であって、
請求項１に記載の複数の中継コネクタと、
前記複数の中継コネクタの前記第１端子金具と前記電子機器とを接続する複数の第１ワイヤハーネスと、
前記複数の中継コネクタの前記第２端子金具と前記電子制御装置とを接続する第２ワイヤハーネスと、
を備えたことを特徴とするワイヤハーネス構造体。
【請求項３】
請求項１に記載された中継コネクタに前記識別情報を設定する識別情報設定治具であって、
前記中継コネクタの前記設定用端子金具に接続される第１設定用端子金具と、
前記中継コネクタの前記複数の第１端子金具に接続される第２設定用端子金具と、
前記第１設定用端子金具に設定信号を送信させると共に前記第２設定用端子金具に識別情報を送信させる制御手段と、
を備えたことを特徴とする識別情報設定治具。
【発明の詳細な説明】
【技術分野】
【０００１】
本発明は、中継コネクタ、ワイヤハーネス構造体、及び、識別情報設定治具に係り、特に、車両に搭載された複数の電子機器と前記複数の電子機器を制御する電子制御装置とを通信可能に接続するための中継コネクタ、当該中継コネクタを備えたワイヤハーネス構造体、及び、当該中継コネクタに識別情報を設定するための識別情報設定治具に関するものである。
【背景技術】
【０００２】
乗用車、貨物車等の車両には、エアコンやワイパー、パワーウインドウなどを構成する多種多様な電子機器が搭載されている。これらの電子機器は、コンピュータなどで構成された電子制御ユニット（ＥＣＵ：Electronic Control Unit）と電気的に接続されており、これら電子機器とＥＣＵとの間で電力や制御信号などが伝えられる。
【０００３】
従来、上述した電子機器を制御する電子制御システムとして、例えば、図１に示すようなものが提案されている（例えば特許文献１）。同図に示すように、電子制御システム１は、一つの第２ワイヤハーネス３２に共通接続された一つのＥＣＵ２０及び複数の中継コネクタ３３と、各中継コネクタ３３にそれぞれ接続された複数の電子機器１０と、を備えている。
【０００４】
上記第２ワイヤハーネス３２は、電源線Ｌ１、グランド線Ｌ２及び信号線Ｌ３の３本の電線から構成されている。上記複数の中継コネクタ３３及びＥＣＵ２０は、これら１本の電源線Ｌ１、グランド線Ｌ２及び信号線Ｌ３にそれぞれ共通接続されている。
【０００５】
上記中継コネクタ３３は、信号線Ｌ３を介してＥＣＵ２０との信号授受を行い、この信号授受に応じて当該中継コネクタ３３に接続されている電子機器１０の動作を制御する。なお、中継コネクタ３３には各々、中継コネクタ３３全体の制御を司る図示しないＣＰＵが内蔵されている。
【０００６】
このように、一つの信号線Ｌ３にＥＣＵ２０と複数の中継コネクタ３３とを接続して信号授受を実現するために各中継コネクタ３３には、識別情報としてのＩＤが設定されている。そして、中継コネクタ３３は各々、信号に送信先のＩＤと自己のＩＤとを添付して信号の送信を行うと共に、自己のＩＤが添付された信号の受信を行っている。
【０００７】
上記ＩＤの設定がないと一つの信号線Ｌ３に接続されたＥＣＵ２０と複数の中継コネクタ３３との信号の授受ができなくなるため、ＩＤの設定は必要不可欠なものである。従来、上記ＩＤの設定としては、例えば中継コネクタ３３のハウジング内に複数のＩＤ設定スイッチ群を内蔵したり、中継コネクタ３３内に設けられた図示しない不揮発性メモリなどに、製造時に個別に記憶するなどして行われる。
【０００８】
しかしながら、上述したＩＤの設定方法では、ＩＤ毎に製品管理が必要となる。また、外観が同じものだと中継コネクタ３３同士区別できないため誤接続され、正規の制御ができなくなり、製品不良になる危険性もある。そこで、例えば、中継コネクタ３３に通信や電源供給用の端子金具とは別に複数のＩＤ設定用端子金具を設け、この中継コネクタ３３に接続される相手側のコネクタに複数のＩＤ設定用端子金具のうちＩＤに応じた一つと接続するセレクタ端子を設けることも考えられる（特許文献２）。しかしこの場合、上述したように通信や電源供給用の端子金具とは別に、ＩＤ設定用端子金具を複数設ける必要があり、中継コネクタ３３のサイズが大きくなったり、形状が複雑になる、という問題がある。
【先行技術文献】
【特許文献】
【０００９】
【特許文献１】特開２００８−２２５６７３号公報
【特許文献２】特開平１０−６７４８号公報
【発明の概要】
【発明が解決しようとする課題】
【００１０】
そこで、本発明は、ＩＤ毎に製品管理が必要なく、しかも、小型化を図った中継コネクタ、当該中継コネクタを備えたワイヤハーネス構造体、及び、当該中継コネクタに識別情報を設定するための識別情報設定治具を提供することを課題とする。
【課題を解決するための手段】
【００１１】
上述した課題を解決するための請求項１記載の発明は、車両に搭載された電子機器に接続された第１ワイヤハーネスが接続される複数の第１端子金具と、前記電子機器を制御する電子制御装置に接続された第２ワイヤハーネスが接続される第２端子金具と、前記第１端子金具を介して前記電子機器から受信した信号に自己の識別情報を付加して前記第２端子金具を介して前記電子制御装置に送信する、又は、前記第２端子金具を介して前記電子制御装置から受信した信号に自己の識別情報が付加されていれば当該受信した信号に応じて前記第１端子金具を介して前記電子機器に制御する通信動作を行う通信制御手段と、を備えた中継コネクタにおいて、前記第１端子金具とは別に設けられ、前記識別情報を設定する旨の設定信号が入力される設定用端子金具と、前記設定用端子金具に前記設定信号が入力されたときに、前記電子制御装置に制御される電子機器に接続された第１ワイヤハーネスが接続される前記複数の第１端子金具から入力された信号に応じた前記識別情報を設定する識別情報設定手段と、を備え、前記通信制御手段は、前記設定用端子金具に前記設定信号が入力されたときに、前記通信動作を停止することを特徴とする中継コネクタに存する。
【００１２】
請求項２記載の発明は、車両に搭載された複数の電子機器と前記複数の電子機器を制御する電子制御装置とを通信可能に接続するためのワイヤハーネス構造体であって、請求項１に記載の複数の中継コネクタと、前記複数の中継コネクタの前記第１端子金具と前記電子機器とを接続する複数の第１ワイヤハーネスと、前記複数の中継コネクタの前記第２端子金具と前記電子制御装置とを接続する第２ワイヤハーネスと、を備えたことを特徴とするワイヤハーネス構造体に存する。
【００１３】
請求項３記載の発明は、請求項１に記載された中継コネクタに前記識別情報を設定する識別情報設定治具であって、前記中継コネクタの前記設定用端子金具に接続される第１設定用端子金具と、前記中継コネクタの前記複数の第１端子金具に接続される第２設定用端子金具と、前記第１設定用端子金具に設定信号を送信させると共に前記第２設定用端子金具に識別情報を送信させる制御手段と、を備えたことを特徴とする識別情報設定治具に存する。
【発明の効果】
【００１４】
以上説明したように請求項１及び２記載の発明によれば、設定用端子金具に設定信号が入力されたときに、通信制御手段が通信動作を停止し、識別情報設定手段が、複数の第１端子金具から入力された信号に応じた識別情報を設定するので、ワイヤハーネスに組み付ける前は全ての中継コネクタが同一のものであるため、識別情報毎に中継コネクタを製品管理する必要がない。また、設定用端子金具によって第１端子金具を切り換えて識別情報を設定しているため、中継コネクタの小型化を図ることができる。
【００１５】
請求項３記載の発明によれば、制御手段が、第１設定用端子金具に設定信号を送信させると共に第２設定用端子金具に識別情報を送信させるので、中継コネクタにコネクタ接続するだけで簡単に識別情報を設定することができる。
【図面の簡単な説明】
【００１６】
【図１】本発明の中継コネクタ及びワイヤハーネス構造体を組み込んだ電子制御システムの一実施形態を示す構成図である。
【図２】図１に示す中継コネクタを構成するチップの詳細を示すブロック図である。
【図３】図１に示す各中継コネクタにＩＤ設定治具を取り付けた状態を示す構成図である。
【図４】図１に示す第１ワイヤハーネスに検査治具を取り付けた状態を示す構成図である。
【図５】図３に示すＩＤ設定治具の処理手順を説明するためのフローチャートである。
【図６】図４に示す検査治具の処理手順を説明するためのフローチャートである。
【発明を実施するための形態】
【００１７】
以下、本発明の中継コネクタ、ワイヤハーネス構造体及び識別情報設定治具を図面に基づいて説明する。図１は、本発明の中継コネクタ及びワイヤハーネス構造体を組み込んだ電子制御システムの一実施形態を示す構成図である。図２は、図１に示す中継コネクタを構成するチップの詳細を示すブロック図である。図３は、図１に示す各中継コネクタにＩＤ設定治具を取り付けた状態を示す構成図である。図４は、図１に示すワイヤハーネス構造体に検査治具を取り付けた状態を示す構成図である。
【００１８】
図１に示す電子制御システム１は、図示しない車両に搭載されている。この電子制御システム１は、複数の電子機器１０と、これら電子機器１０を制御する電子制御ユニット（以下ＥＣＵ）２０と、複数の電子機器１０及びＥＣＵ２０を通信可能に接続するためのワイヤハーネス構造体３０と、を備えている。
【００１９】
上記電子機器１０は、ＥＣＵ２０によって制御される各種装置であり、例えば、エアコン、ワイパー、パワーウインドウやドアスイッチなどの各種スイッチが挙げられる。上記ＥＣＵ２０には、車載バッテリからの電源電圧ＶBが供給されている。上記ＥＣＵ２０は、電子制御システム１全体の制御を司るマイクロプロセッサ（ＭＰＵ）２１と、後述するワイヤハーネス構造体３０などに接続される外部コネクタ２２などから構成されている。
【００２０】
上記ＭＰＵ２１は、後述する中継コネクタ３３からスイッチのオン情報が入力されると、その操作スイッチに対応する電子機器１０のＩＤ及びその電子機器１０が接続される中継コネクタ３３のＩＤ（識別情報）を宛先情報として付加した制御信号を出力する。
【００２１】
上記外部コネクタ２２は、ＭＰＵ２１に接続されている。上記外部コネクタ２２は、後述する複数の中継コネクタ３３と多重通信を行うための所定の通信プロトコル（例えば、ＬＩＮ（Local Interconnect Network））などに対応した通信インタフェースを内蔵している。また、外部コネクタ２２には、電源電圧ＶBの＋側が出力される電源端子、電源電圧ＶBの−側が出力されるグランド端子及び上記通信インタフェースに接続された制御信号が出力される信号端子（何れも図示せず）が設けられている。
【００２２】
上記ワイヤハーネス構造体３０は、複数の第１ワイヤハーネス３１と、第２ワイヤハーネス３２と、複数の中継コネクタ３３と、を備えている。
【００２３】
上記複数の第１ワイヤハーネス３１は各々、各電子機器１０と中継コネクタ３３とを接続する複数の電線から構成されている。この第１ワイヤハーネス３１を構成する電線としては、各電子機器１０宛の制御信号が伝送される信号線に加えて、各電子機器１０に電源電圧ＶBを供給するための電源線、グランド線があるが、図１及び図２においては電源線及びグランド線やこれら電源線及びグランド線に接続される後述する中継コネクタ３３の端子金具については省略してある。
【００２４】
上記第２ワイヤハーネス３２は、上記外部コネクタ２２の電源端子に接続される電源線Ｌ１、グランド端子に接続されるグランド線Ｌ２、及び、信号端子に接続され各中継コネクタ３３宛の制御信号が多重（シリアル）伝送される信号線Ｌ３の３本の電線からなる。
【００２５】
この第２ワイヤハーネス３２の一端には、接続コネクタ３２ａが設けられていて、この接続コネクタ３２ａを外部コネクタ２２に接続すると、外部コネクタ２２の電源端子が電源線Ｌ１に接続され、グランド端子がグランド線Ｌ２に接続され、信号端子が信号線Ｌ３に接続される。また、第２ワイヤハーネス３２には、後述する複数の中継コネクタ３３が取り付けられている。
【００２６】
上記中継コネクタ３３は、図１に示すように、上記第１ワイヤハーネス３１と第２ワイヤハーネス３２とを接続するコネクタである。この中継コネクタ３３は、図１中点線で示すアウタハウジング３４と、このアウタハウジング３４内に収容されている制御回路パッケージ３５と、で構成されている。アウタハウジング３４は、絶縁性の合成樹脂を用いて扁平な箱状に形成されており、筒状のフード部３４ａと、このフード部３４ａに連なった制御回路パッケージ収容室３４ｂと、を一体に備えている。
【００２７】
上記制御回路パッケージ３５は、第１ワイヤハーネス３１を構成する信号線の端末にそれぞれ接続される例えば８つの第１端子金具Ｔ１と、第２ワイヤハーネス３２を構成する電源線Ｌ１、グランド線Ｌ２、信号線Ｌ３に各々接続される電源用端子金具Ｔ２、グランド用端子金具Ｔ３、信号線用端子金具Ｔ４（＝第２端子金具）と、ＩＤを設定する旨の設定信号が入力される設定用端子金具Ｔ５と、封止体３６と、を備えている。
【００２８】
上記第１端子金具Ｔ１及び設定用端子金具Ｔ５は、導電性の金属から構成されていて、一端が後述する封止体３６内に挿入され、他端が封止体３６の互いに対向する一対の面の一方からそれぞれ突出している。またこれら記第１端子金具Ｔ１及び設定用端子金具Ｔ５の外部に突出された他端には、雄タブ端子が形成されていて、上記アウタハウジング３４内のフード部３４ａ内に収容されている。
【００２９】
これら第１端子金具Ｔ１に形成された雄タブ端子は、第１ワイヤハーネス３１の端末に取り付けられた図示しないコネクタが嵌合されると、コネクタ内の雌型端子金具と電気的に接続される。これにより、第１端子金具Ｔ１の各々に第１ワイヤハーネス３１を介して各電子機器１０が接続される。一方、設定用端子金具Ｔ５は、第１ワイヤハーネス３１に接続されておらず、オープン状態となる。
【００３０】
上記電源用端子金具Ｔ２、グランド用端子金具Ｔ３、信号線用端子金具Ｔ４は、導電性の金属から構成されていて、一端が後述する封止体３６内に挿入され、他端が封止体３６の互いに対向する一対の面の他方からそれぞれ突出している。またこれら電源用端子金具Ｔ２、グランド用端子金具Ｔ３及び信号線用端子金具Ｔ４の外部に突出された他端には、圧接端子が形成されていて、その圧接端子にそれぞれ電源線Ｌ１、グランド線Ｌ２、信号線Ｌ３が圧接されている。
【００３１】
上記封止体３６は、制御回路が内蔵されたチップ３７と、これら端子金具Ｔ１〜Ｔ５の一端と、をワイヤボンディングして接続された状態で、樹脂封止している。上記封止体３６内のチップ３７は、図２に示すように、通信インタフェース３７ａと、入出力ポート３７ｂと、メモリ３７ｃと、通信制御手段、識別情報設定手段としてのＣＰＵ３７ｄと、を備えている。
【００３２】
上記通信インタフェース３７ａは、上述したＥＣＵ２０と多重通信を行うための所定プロトコルに対応したインタフェースである。上記入出力ポート３７ｂには、上述した複数の第１端子金具Ｔ１各々に接続された電子機器１０のＩＤが各第１端子金具Ｔ１に割り振られたアドレスとして格納されている。上記メモリ３７ｃは、不揮発性のメモリであり、この中継コネクタ３３のＩＤが記憶される。上記ＣＰＵ３７ｄは、この中継コネクタ３３全体の制御を司る中央演算処理装置である。
【００３３】
上記ＣＰＵ３７ｄは、図２に示すように、通信制御部３７ｄ−１と、入出力制御部３７ｄ−２と、ＩＤ制御部３７ｄ−３と、を備えている。上記通信制御部３７ｄ−１は、信号線用端子金具Ｔ４を介して上記ＥＣＵ２０から送信された制御信号を受信し、受信した制御信号に含まれる中継コネクタ３３のＩＤが自己のＩＤでないときはその制御信号を破棄し、受信した制御信号に含まれる中継コネクタ３３のＩＤが自己のＩＤであるときはその制御信号を後述する入出力制御部３７ｄ−２に出力する。また、上記入出力制御部３７ｄ−２は、通信制御部３７ｄ−１から制御信号を受信するとその制御信号に付加された電子機器１０のＩＤに接続された第１端子金具Ｔ１から上記制御信号を送信する。
【００３４】
また、上記入出力制御部３７ｄ−２は、第１端子金具Ｔ１を介して電子機器１０からの制御信号を受信すると、その第１端子金具Ｔ１に割り振られた電子機器１０のＩＤを送り元情報として付加して、通信制御部３７ｄ−１に供給する。通信制御部３７ｄ−１は、入出力制御部３７ｄ−２から制御信号を受信すると、さらに自己の中継コネクタ３３のＩＤを送り元情報として付加して信号線用端子金具Ｔ４を介してＥＣＵ２０宛に送信する。
【００３５】
上記ＩＤ制御部３７ｄ−３は、設定用端子金具Ｔ５にＨレベルの設定信号が入力されたときに、複数の第１端子金具Ｔ１から入力された信号に応じたＩＤを読み取り、その読み取ったＩＤを中継コネクタ３３のＩＤとして設定し、メモリ３７ｃ内に格納する。詳しくは、上記ＩＤ制御部３７ｄ−３は、ＩＤ読取部３７ｄ−３１と、セレクタ３７ｄ−３２と、ＩＤ読取イネーブル３７ｄ−３３と、を備えている。
【００３６】
ＩＤ読取部３７ｄ−３１は、第１端子金具Ｔ１から入力された信号に応じたＩＤを中継コネクタ３３のＩＤとしてメモリ３７ｃ内に挿入する。即ち、第１端子金具Ｔ１が８端子あったとすると、“００００００００”のときはＩＤを「０」とし、“０００００００１”のときはＩＤを「１」とし、“００００００１０”のときはＩＤを「２」とする。
【００３７】
上記セレクタ３７ｄ−３２は、第１端子金具Ｔ１からの入力を入出力制御部３７ｄ−２とＩＤ読取部３７ｄ−３１との間で切り換える。ＩＤ読取イネーブル３７ｄ−３３は、設定用端子金具Ｔ５に対する設定信号の入力を検出し、検出したときＩＤ読取部３７ｄ−３１の機能を有効にすると共にセレクタ３７ｄ−３２によって第１端子金具Ｔ１からの入力をＩＤ読取部３７ｄ−３１側に切り換える。この切り替えにより入出力制御部３７ｄ−２及び通信制御部３７ｄ−１によるＥＣＵ２０−電子機器１０間の通信動作が停止し、ＩＤ読取部３７ｄ−３１によるＩＤの設定が行われる。
【００３８】
一方、ＩＤ読取イネーブル３７ｄ−３３は、設定信号の入力が検出されなかったとき、ＩＤ読取部３７ｄ−３１の機能を無効にすると共にセレクタ３７ｄ−３２によって第１端子金具Ｔ１からの入力を入出力制御部３７ｄ−２側に切り換える。この切り替えにより、ＩＤ読取部３７ｄ−３１によるＩＤの設定動作が行われることなく、入出力制御部３７ｄ−２及び通信制御部３７ｄ−１によるＥＣＵ２０−電子機器１０間の通信動作が行われる。
【００３９】
次に、上述した構成のワイヤハーネス構造体３０を構成する各中継コネクタ３３にＩＤを設定するための識別情報設定治具としてのＩＤ設定治具４０について図３を参照して以下説明する。図３に示すように、ＩＤ設定治具４０は、第１ワイヤハーネス３１の端末に設けられた図示しないコネクタの代わりに各中継コネクタ３３にコネクタ接続されるコネクタであり、中継コネクタ３３の数だけ設けられている。各ＩＤ設定治具４０は、コネクタ接続される中継コネクタ３３に対応したＩＤが図示しないメモリ内に格納されている。
【００４０】
また、ＩＤ設定治具４０は、中継コネクタ３３の設定用端子金具Ｔ５に嵌合して接続される雌型の第１設定用端子金具Ｔ６と、中継コネクタ３３の複数の第１端子金具Ｔ１に嵌合して接続される雌型の第２設定用端子金具Ｔ７と、これら第１設定用端子金具Ｔ６及び第２設定用端子金具Ｔ７に接続された制御手段としてのＣＰＵ４１と、これらを収容するコネクタハウジング４２と、を備えている。
【００４１】
上記ＣＰＵ４１は、ＩＤ設定治具４０全体の制御を司る中央演算処理装置であり、第１設定用端子金具Ｔ６にＨレベルの設定信号を送信させると共に第２設定用端子金具Ｔ７にメモリ内に格納されたＩＤを送信させる。コネクタハウジング４２は、絶縁性の合成樹脂などから構成されていて、中継コネクタ３３のフード部３４ａに嵌合するフード部４２ａが設けられ、このフード部４２ａにこれら第１設定用端子金具Ｔ６及び第２設定用端子金具Ｔ７が収容されている。ＩＤ設定治具４０のフード部４２ａに中継コネクタ３３のフード部３４ａを嵌合させると、設定用端子金具Ｔ５に第１設定用端子金具Ｔ６が接続され、第１端子金具Ｔ１に第２設定用端子金具Ｔ７が接続される。
【００４２】
次に、上述した構成のワイヤハーネス構造体３０を構成する各中継コネクタ３３にＩＤが正しく設定され正規の通信を行うことができるか否か検査する検査治具５０について図４を参照して以下説明する。検査治具５０は、接続コネクタ３２ａにコネクタ接続される外部コネクタ５１と、接続コネクタ３２ａを介して接続された検査治具５０全体の検査制御を司るＣＰＵ５２と、を備えている。
【００４３】
上述した構成のＩＤ設定治具４０及び検査治具５０を用いたＩＤの設定手順、検査手順について図５及び図６を参照して以下説明する。図５は、図３に示すＩＤ設定治具の処理手順を説明するためのフローチャートである。図６は、図４に示す検査治具の処理手順を説明するためのフローチャートである。まず、第２ワイヤハーネス３２に中継コネクタ３３の電源用端子金具Ｔ２、グランド用端子金具Ｔ３、信号線用端子金具Ｔ４をそれぞれ圧接して取り付ける。次に、図３に示すように第２ワイヤハーネス３２に取り付けた中継コネクタ３３各々にＩＤ設定治具４０を取り付ける。その後、ＩＤ設定治具４０の電源をオンすると共に接続コネクタ３２ａを介して各中継コネクタ３３に電源電圧ＶBを供給する。
【００４４】
ＩＤ設定治具４０内のＣＰＵ４１は、電源がオンされると、第１設定用端子金具Ｔ６を介して中継コネクタ３３の設定用端子金具Ｔ５に対してＨレベルの設定信号を出力すると共に第２設定用端子金具Ｔ７を介して中継コネクタ３３の第１端子金具Ｔ１に対してメモリに格納されたＩＤを出力する。
【００４５】
一方、電源が供給されると中継コネクタ３３内のＣＰＵは、図５に示すように、動作を開始して、まず設定用端子金具Ｔ５の状態を検出し、設定信号が入力されているか否かを検出する（ステップＳ１１）。設定信号が入力されていれば（ステップＳ１１でＹ）、ＣＰＵ３７ｄは、第１端子金具Ｔ１に入力されたＩＤを読み取り（ステップＳ１２）、読み取ったＩＤを自己のＩＤとしてメモリ３７ｃ内に格納した後（ステップＳ１３）、処理を終了する。一方、設定信号が入力されていなければ（ステップＳ１１でＮ）、ＣＰＵは通常の通信動作処理を開始させた後（ステップＳ１４）、処理を終了する。以上の動作により、中継コネクタ３３にＩＤ設定治具４０を接続すると、中継コネクタ３３のＩＤが設定される。
【００４６】
次に、図４に示すように、中継コネクタ３３からＩＤ設定治具４０を外し、接続コネクタ３２ａにＥＣＵ２０の代わりに、検査治具５０を接続する。これにより、検査治具５０に電源が投入されると共に中継コネクタ３３にも電源が投入される。電源が投入されると、検査治具５０のＣＰＵ５２は、図６に示すように、信号線Ｌ３を介して全ての中継コネクタ３３に対してそのＩＤを添付したコマンドを順次送信する（ステップＳ２１）。
【００４７】
図４に示すように、ＩＤ設定治具４０が取り外されている状態で中継コネクタ３３に電源が供給されると、図５のステップＳ１１でＮとなり、通常動作処理が開始される。よって、各中継コネクタ３３内のＣＰＵ３７ｄは、検査治具５０からのコマンドを受信すると、自己のＩＤを送り元情報として添付したレスポンスを送信する。
【００４８】
次に、検査治具５０内のＣＰＵ５２は、コマンド送信に対して各中継コネクタ３３からのレスポンスがあるか否かを判定し（ステップＳ２２）、全ての中継コネクタ３３からレスポンスがあれば（ステップＳ２２でＹ）、正常の旨を報知して（ステップＳ２３）、処理を終了する。これに対して、全ての中継コネクタ３３からレスポンスがなければ（ステップＳ２２でＮ）、検査ＮＧでありレスポンスのない中継コネクタ３３を報知して（ステップＳ２４）、処理を終了する。
【００４９】
その後、検査で正常と判断された中継コネクタ３３に第１ワイヤハーネス３１を取り付けてワイヤハーネス構造体３０を完成させる。
【００５０】
上述した中継コネクタ３３によれば、設定用端子金具Ｔ５に設定信号が入力されたときに、ＣＰＵ３７ｄが通信動作を停止し、複数の第１端子金具Ｔ１から入力された信号に応じたＩＤを設定するので、ワイヤハーネス３１、３２に組み付ける前は全ての中継コネクタ３３が同一のものであるため、ＩＤ毎に中継コネクタ３３を製品管理する必要がない。また、設定用端子金具Ｔ５によって第１端子金具Ｔ１を切り換えてＩＤを設定しているため、中継コネクタ３３の小型化を図ることができる。
【００５１】
また、上述した実施形態によれば、ＩＤ固定治具４０内のＣＰＵ４１が、第１設定用端子金具Ｔ６に設定信号を送信させると共に第２設定用端子金具Ｔ７にＩＤを送信させるので、中継コネクタ３３にコネクタ接続するだけで簡単にＩＤを設定することができる。
【００５２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５３】
１０    電子機器
２０    ＥＣＵ（電子制御装置）
３０    ワイヤハーネス構造体
３１    第１ワイヤハーネス
３２    第２ワイヤハーネス
３３    中継コネクタ
３７ｄ  ＣＰＵ（通信制御手段、識別情報設定手段）
４０    ＩＤ設定治具（識別情報設定治具）
４１    ＣＰＵ（制御手段）
Ｔ１    第１端子金具
Ｔ４    信号線用端子金具（第２端子金具）
Ｔ５    設定用端子金具
Ｔ６    第１設定用端子金具
Ｔ７    第２設定用端子金具
【図１】
0005763368.tif 000002
【図２】
0005763368.tif 000003
【図３】
0005763368.tif 000004
【図４】
0005763368.tif 000005
【図５】
0005763368.tif 000006
【図６】
0005763368.tif 000007